【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
少なくとも結着樹脂、着色剤、ワックスを含むトナー組成物を有機溶媒中に溶解または分散させて調整された混合溶液を、水系媒体中にて懸濁造粒し、該有機溶媒を除去するトナー粒子の製造方法において、上記トナー組成物がアミド基を有する化合物及び以下の構造式（１）で示される亜鉛フタロシアニン化合物を含有することを特徴とするトナー粒子の製造方法。
【化１】
2006301218.tif 000001
【請求項２】
着色剤１００質量部に対する亜鉛フタロシアニン化合物の添加量が、０．０５質量部以上５．００質量部以下である請求項１に記載のトナー粒子の製造方法。
【請求項３】
亜鉛フタロシアニン化合物の粒径が０．１ｎｍ以上１００ｎｍ以下である請求項１または２に記載のトナー粒子の製造方法。
【請求項４】
着色剤の比表面積が３０ｍ2／ｇ以上１５０ｍ2／ｇ以下で、平均粒径が１０ｎｍ以上８０ｎｍ以下である請求項１〜３のいずれかに記載のトナー粒子の製造方法。
【請求項５】
着色剤がｐＨ値４以上１１以下のカーボンブラックである請求項１〜４のいずれかに記載のトナー粒子の製造方法。
【請求項６】
結着樹脂のゲルパーミェーションクロマトグラフィ（ＧＰＣ）における重量平均分子量（Ｍｗ）が５０００以上５００００以下であり、かつガラス転移点（Ｔｇ）が５０℃以上９０℃以下である請求項１〜５のいずれかに記載のトナー粒子の製造方法。
【請求項７】
結着樹脂が、酸価が１以上３０以下で水酸基価が５以上５０以下のポリエステル樹脂である請求項１〜６のいずれかに記載のトナー粒子の製造方法。
【請求項８】
アミド基を有する化合物が、下記構造式（２）〜（４）のいずれかで示される（メタ）アクリルアミド重合性単量体を重合体ユニットとして含有する樹脂、ポリアミド樹脂、アミドワックスのいずれかである請求項１〜７のいずれかに記載のトナー粒子の製造方法。
【化２】
2006301218.tif 000002
〔上記構造式（２）において、Ｒ1は水素原子またはメチル基を示す。Ｒ2及びＲ3はそれぞれ独立して水素原子、アリール基またはＣ1〜Ｃ10のアルキル基、アルケニル基若しくはアルコキシ基を示し、Ｘ1は水素原子、アルカリ金属原子、アルカリ土類金属原子または４級アンモニウム塩を示し、ｎは１〜１０の整数を示す。〕
【化３】
2006301218.tif 000003
〔上記構造式（３）において、Ｒ4は水素原子またはメチル基を示す。Ｒ5〜Ｒ8はそれぞれ独立して水素原子、アリール基、芳香族基またはＣ1〜Ｃ10のアルキル基、アルケニル基若しくはアルコキシ基を示すが、Ｒ5〜Ｒ8のうち少なくとも１つは無置換または置換基を有する芳香族基を示す。Ｘ2は水素原子、アルカリ金属原子、アルカリ土類金属原子または４級アンモニウム塩を示す。〕
【化４】
2006301218.tif 000004
〔上記構造式（４）において、Ｒ9は水素原子またはメチル基を示し、Ｒ10及びＲ11はそれぞれ独立して水素原子、アリール基またはＣ1〜Ｃ20のアルキル基、アルケニル基若しくはアルコキシ基を示す。尚、Ｒ10とＲ11は相互に連結して、炭素原子以外の異種原子を有し且つＣ4〜Ｃ20の環状構造を有する非芳香族有機基を形成してもよい。〕
【請求項９】
アミド基を有する化合物のＧＰＣにおけるＭｗが３００以上５００００以下である請求項１〜８のいずれかに記載のトナー粒子の製造方法。
【請求項１０】
トナー粒子の残有機溶媒濃度が５００ｐｐｍ以下である請求項１〜９のいずれかに記載のトナー粒子の製造方法。
【請求項１１】
トナー粒子のコールターカウンターにおける体積平均粒子径５０％値が４μｍ以上９μｍ以下である請求項１〜１０のいずれかに記載のトナー粒子の製造方法。
【請求項１２】
トナー粒子のコールターカウンターにおける５．０４μｍ以下が５０個数％以下である請求項１〜１１のいずれかに記載のトナー粒子の製造方法。
【請求項１３】
トナー粒子の形状係数の変動係数が２％以上３０％以下である請求項１〜１２のいずれかに記載のトナー粒子の製造方法。
【手続補正２】
【補正対象書類名】明細書
【補正対象項目名】００１５
【補正方法】変更
【補正の内容】
【００１５】
本発明においては、以下の構成を好ましい形態として含む。
着色剤１００質量部に対する亜鉛フタロシアニン化合物の添加量が、０．０５質量部以上５．００質量部以下である。
亜鉛フタロシアニン化合物の粒径が０．１ｎｍ以上１００ｎｍ以下である。
着色剤の比表面積が３０ｍ2／ｇ以上１５０ｍ2／ｇ以下で、平均粒径が１０ｎｍ以上８０ｎｍ以下である。
着色剤がｐＨ値４以上１１以下のカーボンブラックである。
結着樹脂のゲルパーミェーションクロマトグラフィ（ＧＰＣ）における重量平均分子量（Ｍｗ）が５０００以上５００００以下であり、かつガラス転移点（Ｔｇ）が５０℃以上９０℃以下である。
結着樹脂が、酸価が１以上３０以下で水酸基価が５以上５０以下のポリエステル樹脂である。
アミド基を有する化合物が、下記構造式（２）〜（４）のいずれかで示される（メタ）アクリルアミド重合性単量体を重合体ユニットとして含有する樹脂、ポリアミド樹脂、アミドワックスのいずれかである。
【手続補正３】
【補正対象書類名】明細書
【補正対象項目名】００２１
【補正方法】変更
【補正の内容】
【００２１】
〔上記構造式（４）において、Ｒ9は水素原子またはメチル基を示し、Ｒ10及びＲ11はそれぞれ独立して水素原子、アリール基またはＣ1〜Ｃ20のアルキル基、アルケニル基若しくはアルコキシ基を示す。尚、Ｒ10とＲ11は相互に連結して、炭素原子以外の異種原子を有し且つＣ4〜Ｃ20の環状構造を有する非芳香族有機基を形成してもよい。〕
アミド基を有する化合物のＧＰＣにおけるＭｗが３００以上５００００以下である。
トナー粒子の残有機溶媒濃度が５００ｐｐｍ以下である。
トナー粒子のコールターカウンターにおける体積平均粒子径５０％値が４μｍ以上９μｍ以下である。
トナー粒子のコールターカウンターにおける５．０４μｍ以下が５０個数％以下である。
トナー粒子の形状係数の変動係数が２％以上３０％以下である。
【手続補正４】
【補正対象書類名】明細書
【補正対象項目名】００３４
【補正方法】変更
【補正の内容】
【００３４】
着色剤１００質量部に対する該亜鉛フタロシアニン化合物の添加量は、０．０５質量部以上５．００質量部以下が好ましい。より好ましくは０．１質量部以上３．００質量部以下である。０．０５質量部未満では顔料分散剤添加効果が発現しにくく、５．００質量部を超える場合には、顔料分散としての効果が飽和になるだけでなく、トナー表面の汚染につながり、帯電性を悪化させてしまう。
【手続補正５】
【補正対象書類名】明細書
【補正対象項目名】０１８２
【補正方法】変更
【補正の内容】
【０１８２】
この分散液を撹拌機、温度計、窒素ガス導入管を備えたフラスコに受けた後、スラリーを冷却し、スラリーの１０倍の水量で洗浄し、乾燥をしてブラック粒子を得た後、得られたトナー粒子１００質量部に対し、シリカ（個数平均径＝３０ｎｍ、ＢＥＴ比表面積＝３８ｍ2／ｇ）１．０質量部を添加し、ヘンシェルミキサー（三井三池化工機社製）を用いて３０００回転／分で２分間混合して、ブラックトナー粒子Ｎｏ．２２を得た。処方及び物性を表１に示す。